(57)【要約】【課題】  手で丸めて比較的に細い紐状となる手提げ取っ手、もしくは、比較的に細いループ状の紐又は紐状物である紐体が付いた、ゴミ袋やレジ袋，ポシェット，小物袋，バッグ等、を比較的狭い空間で吊り下げ支持する。ゴミ袋やレジ袋は開いて吊り下げ可能にする。予備の複数のゴミ袋やレジ袋をまとめて吊り下げ保持可能にする。【解決手段】  基台１０；該基台に対してその幅よりも狭い幅で上方ｚに起立して基台で支持される支持幹２０；支持幹からその幅よりも狭い幅で分岐して突出する突起３０，４０；および、紐又は紐状物である紐体７１，８１を外側面から挿入するための、水平方向ｙに分布する複数の狭い、紐体通し通路５１〜５５がある、基台から水平方向ｘに突出するガイド部材５０；を備える。ガイド部材５０には、紐体通し通路が連続する紐体留め穴５６〜６０がある。【選択図】  図４
2010069195.tif 000002
【特許請求の範囲】
【請求項１】
基台；
該基台に対してその幅よりも狭い幅で上方ｚに起立して該基台で支持される支持幹；
該支持幹からその幅よりも狭い幅で分岐して突出する突起；および、
ループ状の紐又は紐状物である紐体を外側面から挿入するための、水平方向ｙに分布する複数の狭い、紐体通し通路がある、前記基台から水平方向ｘに突出するガイド部材；
を備える、紐体吊り支持具。
【請求項２】
前記ガイド部材には、前記紐体通し通路のガイド部材内部側終端が連続する、該紐体通し通路の幅よりも大径の第１種の紐体留め穴がある；請求項１に記載の紐体吊り支持具。
【請求項３】
前記複数の紐体通し通路は、水平方向ｘにも分布する；請求項１に記載の紐体吊り支持具。
【請求項４】
水平方向ｙにおいて前記基台の前記幅の中央の位置においてガイド部材の外側面から前記基台に向かう紐体通し通路の、ガイド部材内部側終端が連続する紐体留め穴は、前記第１種の留め穴より大径の第２種の留め穴である；請求項２又は３に記載の紐体吊り支持具。
【請求項５】
前記中央位置の紐体通し通路の、ガイド部材の外側面から第２種の留め穴までの通路に第１種の紐体留め穴がある；請求項４に記載の紐体吊り支持具。
【請求項６】
前記第２種の留め穴と第１種の紐体留め穴の間の通路に、それらの穴径の中間の径の第３種の紐体留め穴がある；請求項５に記載の紐体吊り支持具。
【請求項７】
前記支持幹から突出する突起は、水平方向ｙに互いに分離しそれぞれ上方ｚに延びる複数である；請求項１乃至６のいずれか１つに記載の紐体吊り支持具。
【請求項８】
小型ドアの上端又は取っ手もしくは引き出しの取っ手に引っ掛ける掛け具を、前記基台に装備した；請求項１乃至７のいずれか１つに記載の紐体吊り支持具。
【請求項９】
垂直壁面に前記基台を固定するねじ又はボルトを通す通し穴を、前記基台に開けた；請求項１乃至８のいずれか１つに記載の紐体吊り支持具。
【請求項１０】
前記紐体は、販売店が売り渡し商品を入れて消費者に渡す合成樹脂製袋の吊り手部分を含む；請求項１乃至９のいずれか１つに記載の紐体吊り支持具。
【発明の詳細な説明】
【技術分野】
【０００１】
本発明は、ループ状の紐または紐状体があるもの、例えば肩吊り紐，手提げ紐付きのポシェット，小物袋又は小さいバッグ，手提げつり手部が一体連続のコンビニの商品収納袋（いわゆるレジ袋，ポリ袋）又はゴミ袋などを、閉じたまま又は開口を上向きにして広げて支持する吊り支持具に関する。この吊り支持具は例えば、台所でポリ袋又はゴミ袋を開いて吊り支持する用途，予備として閉じたまま吊り支持する用途、あるいは室内で、小さい紐付きのポシェット又は小物入れ袋，バッグを吊り支持する用途又はゴミ箱代わりにゴミ袋，ポリ袋を吊り支持する用途、に使用できる。
【背景技術】
【０００２】
【特許文献１】特開２００１−４８３０２号公報
【特許文献２】実用新案第３０８９７１８号公報
【特許文献３】特開２００６−７６６９４号公報。
【０００３】
特許文献１には、一対の矩形パネルを対向配置してＸアームで相対的に接近，離反するように結合し、各矩形パネルの上端部に、ゴミ袋のつり手を差し込む多数のスリットを刻んだ、ごみ袋の支持台、が記載されている。特許文献２には、キャスタ付き台車にハンドル幹を立て、それにコの字型の、ゴミ袋の開口縁を支持する枠体を装着して、該枠体につるしたクリップでゴミ袋の開口縁を掴む、手押し式各種ごみ袋台車、が記載されている。特許文献３には、矩形フレーム基台の一辺にπ型（鳥居型）の第１脚を立て、対向辺に同様な第２脚を対向して立ててしかも傾動可に矩形フレーム基台で支持し、第１脚の上端にゴミ袋の開口を４角形にして保持するための一対のフック付き棒の端部のリングを吊り下げ支持し、先端のフックを第２脚の上端に係合させることによって、第１，２脚の上端とともに４角形のゴミ袋支持型を構成して、ゴミ袋の開口縁を洗濯ばさみでフック付き棒に固定する、ゴミ袋の支持スタンド、が記載されている。
【発明の開示】
【発明が解決しようとする課題】
【０００４】
いずれも大きいゴミ袋を支持するスタンドであり、場所をとる。アパートの狭い台所や部屋の机まわりでは、小さいゴミ袋やレジ袋（ポリ袋）を、場所をとらないところ、あるいはゴミ入れや物入れに便利な場所に吊り下げている。また、ポシェット，小物袋又は小さいバッグなども、その吊り紐を木ねじ，釘などに吊り下げている。いずれにしても複数をまとめて吊り下げることがあり、また、ゴミ袋やレジ袋は、物を入れやすいように開いて吊り下げておくこともある。
【０００５】
本発明は、手で丸めて比較的に細い紐状となる手提げ取っ手、もしくは、比較的に細いループ状の紐又は紐状物である紐体が付いた、ゴミ袋やレジ袋，ポシェット，小物袋，バッグ等、を比較的狭い空間で吊り下げ支持することを、第１の目的とする。ゴミ袋やレジ袋は開いて吊り下げ可能にすることを第２の目的とする。予備の複数のゴミ袋やレジ袋をまとめて吊り下げ保持可能にすることを第３の目的とする。
【課題を解決するための手段】
【０００６】
（１）基台(10)；
該基台に対してその幅よりも狭い幅で上方ｚに起立して該基台で支持される支持幹(20)；
該支持幹からその幅よりも狭い幅で分岐して突出する突起(30,40)；および、
紐又は紐状物である紐体(71,81)を外側面から挿入するための、水平方向ｙに分布する複数の狭い、紐体通し通路(51-55)がある、前記基台から水平方向ｘに突出するガイド部材(50)；
を備える、紐体吊り支持具。
【０００７】
なお、理解を容易にするために括弧内には、図面に示し後述する実施例の対応要素又は相当要素の符号を、例示として参考までに付記した。以下も同様である。
【発明の効果】
【０００８】
例えば、レジ袋(70)の１対のループ状の取っ手部(71)を一体に丸めて圧縮して紐状として、紐状ループに突起(30,40)を通して、あるいは更に支持幹(20)を通し、紐状部を紐体通し通路(51-55)の１つに差し込むことにより、１以上のレジ袋(70,80)をコンパクトに吊り下げることができる（図５）。レジ袋(80)の１対の取っ手部(81)の一方のみを丸めて圧縮して紐状として、紐状ループに突起(30)を通して、あるいは更に支持幹(20)を通してから、紐状部(81)を広げるようにして水平方向ｙで異なった位置の紐体通し通路(51-55)に差し込むことにより、レジ袋(80)を開口(83)を開いて上向きにして吊り下げることができる（図６）。比較的に細いループ状の紐又は紐状物である紐体が付いたポシェット，小物袋，バッグ等は、該紐体のループに突起(30,40)を通して、あるいは更に支持幹(20)を通し、紐体を紐体通し通路(51-55)の１つ又は２つに差し込むことにより、吊り下げることができる。
【０００９】
（２）前記ガイド部材(50)には、前記紐体通し通路(51-55)のガイド部材内部側終端が連続する、該紐体通し通路の幅よりも大径の第１種の紐体留め穴(56-60)がある；上記（１）に記載の紐体吊り支持具。これによれば、紐体を該紐体留め穴(56-60)にまで差し込むと、紐体の水平方向ｘの吊り下げ位置が定まる。
【００１０】
（３）前記複数の紐体通し通路(51-55)は、水平方向ｘにも分布する；上記（１）に記載の紐体吊り支持具。複数の非吊り下げ物を吊り下げ支持する場合、それらを水平方向ｘ方向に分散することができる。
【００１１】
（４）水平方向ｙにおいて前記基台(10)の前記幅の中央の位置においてガイド部材(50)の外側面から前記基台(10)に向かう紐体通し通路(53)の、ガイド部材内部側終端が連続する紐体留め穴(61)は、前記第１種の留め穴(53)より大径の第２種の留め穴(61)である；上記（２）又は（３）に記載の紐体吊り支持具。これによれば、多数のレジ袋を予備として吊り下げる場合、それらの紐体部を圧縮して第２種の留め穴(61)に押し込むことにより、コンパクトに保存することができる。
【００１２】
（５）前記中央位置の紐体通し通路(53)の、ガイド部材(50)の外側面から第２種の留め穴(61)までの通路に第１種の紐体留め穴(58)がある；上記（４）に記載の紐体吊り支持具。これによれば、該第１種の紐体留め穴(58)を用いて、予備のレジ袋(70)の前に、使用中のレジ袋(80)を、口をあけて配置できる。
【００１３】
（６）前記第２種の留め穴(61)と第１種の紐体留め穴(58)の間の通路に、それらの穴径の中間の径の第３種の紐体留め穴(62)がある(図６)；上記（５）に記載の紐体吊り支持具。これによっても、予備のレジ袋(70)の前に使用中のレジ袋(80)を、口をあけて配置できる。
【００１４】
（７）前記支持幹(20)から突出する突起は、水平方向ｙに互いに分離しそれぞれ上方ｚに延びる複数(30,40)である；上記（１）乃至（６）のいずれか１つに記載の紐体吊り支持具。各突起(30,40)で紐体を吊り支持できるので、複数のレジ袋を口を開けて並べて吊り支持できる。
【００１５】
（８）小型ドアの上端又は取っ手もしくは引き出しの取っ手に引っ掛ける掛け具(11)を、前記基台(10)に装備した；上記（１）乃至（７）のいずれか１つに記載の紐体吊り支持具。例えば、台所の水洗台のドア又は引き出しの取っ手，トイレ又は風呂場の手洗い台のドア又は引き出しの取っ手、あるいは机の引き出しの取っ手に、基台(10)を容易に装着できる。
【００１６】
（９）垂直壁面に前記基台を固定するねじ又はボルトを通す通し穴を、前記基台に開けた；上記（１）乃至（８）のいずれか１つに記載の紐体吊り支持具。垂直壁面、例えば壁，柱，又は机の側板に、基台(10)を容易に装着できる。
【００１７】
（１０）前記紐体は、販売店が売り渡し商品を入れて消費者に渡す合成樹脂製袋の吊り手部分を含む；上記（１）乃至（９）のいずれか１つに記載の紐体吊り支持具。合成樹脂製袋すなわちレジ袋(70,80)を容易に吊り下げることができる。
【発明を実施するための最良の形態】
【００１８】
本発明の他の目的および特徴は、図面を参照した以下の実施例の説明より明らかになろう。
【実施例１】
【００１９】
図１に本発明の１実施例の正面を、図２に平面を、また、図３には左側面を示し、図４には左側面側を斜めに見下ろした斜視図を示す。図１を参照すると、基台１０からウサギ顔形状の支持幹２０が上方向ｚに起立しており、支持幹２０から、ウサギ耳形状の突起３０，４０が突出している。突起は、上方向ｚに限らず、水平方向ｙに突出していてもよい。
【００２０】
図２および図４を参照すると、基台１０から、金団雲（きんとんうん）形状のガイド部材５０が水平方向ｘに突出している。ガイド部材５０の概略の外縁形状は弧状であり、弧状外側面から内方に向けて、５個の紐体通し通路５１〜５５が開けられ、そのうちの４個５１，５２，５４，５５の内部側終端は、第１種の紐体留め穴５６，５７，５９，６０に連なっている。中央の紐体通し通路５３には、第１種の紐体留め穴５８，それよりやや大径の第３種の紐体留め穴６２およびそれよりやや大径の第２種の紐体留め穴６１がこの順に連なっている。第１種の紐体留め穴５６〜６０は、ガイド部材５０の弧状外側縁に沿って分布している。すなわち、水平方向ｘ，ｙに分布している。第１種〜第３種の紐体留め穴５８，６１，６２は、ガイド部材５０の水平方向ｘの幅中央にある。
【００２１】
基台１０の、裏面すなわちガイド部材５０が連なった面の裏側の面に、留め金具１１が固着されている。この留め金具１１のｘ，ｚ断面は、水洗台（シンク）にあるドアの上端を受け入れるように、下向きに開いた「コ」状であり、その内側面には、ドアに対する留め金具１１のガタつきを防ぐ、弾力性，伸縮性および可撓性がある緩衝部材１２，１３（図２，図３）が貼り付けてある。留め金具１１の水平壁には、ドアの上端面にねじ込む木ねじを通す長穴１４，１５（図２）が開いている。
【００２２】
図５には、予備レジ袋７０を吊り下げ支持した外観を示す。予備レジ袋７０の１対のループ状の手提げ部を手で捩りかつ圧縮して１つの紐ループとし、全体を細く絞ってから、紐ループに突起３０，４０を通しそして支持幹２０を通して、支持幹２０の根元の首部２１，２２（図１，図４）まで降ろし、そしてループ７１を紐体通し通路５３に差し込んで第２種の６１まで押し込むと、図５に示すように、レジ袋７０が吊り下げ支持される。このようにして、２０枚前後のレジ袋を、予備として吊り下げておくことができる。
【００２３】
図６には、１つのレジ袋８０を口を開けて吊り下げた外観を示す。レジ袋８０の１対のループ状の手提げ部の一方８１を、そのループに突起３０，４０の１つ３０を通し、突起３０の根元３１，３２（図１）まで降ろし、そしてループ８１を紐体通し通路５６と５３に差し込んで、紐体留め穴５６および６２（６１又は５８でもよい）まで押し込むと、図６に示すように、レジ袋８０が吊り下げ支持される。袋の口は上向きに開き、他方のループ状の手提げ部８２は自由に動かすことができる。なお、紐体通し通路５３に差し込んだ手提げ部を、紐体通し通路５３ではなく５４又は５５（図２）に変更すると、レジ袋８０の上開口がｙ方向に広がる。
【００２４】
なお、例えば１つのレジ袋の１対のループ状の手提げ部の一方を、紐体通し通路５１と５５に掛け渡してガイド部材５０だけで吊り下げ支持することによっても、袋の口は上向きに開き、他方のループ状の手提げ部は自由に動かすことができる。
【００２５】
一枚（第１）のレジ袋８０を口を開けて吊り下げていても、第２のレジ袋の１対の手提げ部の一方を、もう１つの突起４０に引っ掛けて、例えば紐体通し通路５５と５３（又は５２）に差し込んで、レジ袋８０と同様に、それと並べて、口を開けて吊り支持できる。また第３のレジ袋の１対の手提げ部の一方を、突起３０，４０の一方に引っ掛けて、例えば紐体通し通路５２と５４に差し込んで、第１，第２レジ袋の前側に、それらと並べて、口を開けて吊り支持できる。
【００２６】
なお、ゴミあるいはその他のものを入れたレジ袋を口を閉じた状態にするには、自由になっている手提げ部８２を、そのループに突起３０又は４０もしくは支持幹２０を通してから、それに引っ掛ける。これによりレジ袋の上端の開口が略閉じた状態になる。レジ袋の開口の閉じをより確実にするには、突起３０又は４０に掛けている手提げ部を穴５６，６２から、紐体通し通路５１，５３を通ってガイド部材５０の側方に引き出し、もう一方の手提げ部も同一の突起に引っ掛けてから、レジ袋下部を捩り廻しして両手提げ部を、同時に紐よりするように捩ってから、両手提げ部を同一の穴（５６〜６０，６１，６２の１つ）に差し込む。
【００２７】
なお、紐体通し通路５１〜５５に差し込んで第１種の紐体留め穴５６〜６０まで押し込むことができるループ状の紐体を装備したポシェット，小物入れ袋，バッグ等も、ループ状の紐体を支持幹２０もしくは突起３０又は４０に引っ掛け、そして紐体通し通路に差し込んで紐体留め穴に押し込むことにより、吊り支持することができる。あるいは、ループ状の紐体を紐体通し通路５１〜５５の２つに差し込んで穴５６〜６０の２つに押し込むことによって、ガイド部材５０のみで吊り下げ支持することができる。
【図面の簡単な説明】
【００２８】
【図１】本発明の一実施例の正面図である。
【図２】図１に示す実施例の平面図である。
【図３】図１に示す実施例の左側面図である。
【図４】図１に示す実施例の斜視図である。
【図５】図１に示す実施例の、予備のレジ袋を吊り支持した状態を示す斜視図である。
【図６】図１に示す実施例の、予備のレジ袋に加えて１つのレジ袋を口を開けて吊り支持した状態を示す斜視図である。
【符号の説明】
【００２９】
１０：基台
１１：留め金具
１２，１３：緩衝部材
１４，１５：長穴
２０：支持幹
２１，２２：首部
３０，４０：突起
３１，３２，４１，４２：根元
５０：ガイド部材
５１〜５５：紐体通し通路
５６〜６０：第１種の紐体留め穴
６１：第２種の紐体留め穴
６２：第３種の紐体留め穴
７０：第１のレジ袋
７１：ループ状の手提げ部
８０：第２のレジ袋
８１，８２：ループ状の手提げ部
８３：開口
【図１】
2010069195.tif 000003
【図２】
2010069195.tif 000004
【図３】
2010069195.tif 000005
【図４】
2010069195.tif 000006
【図５】
2010069195.tif 000007
【図６】
2010069195.tif 000008